(57)【要約】      （修正有）【課題】人間の身体において脚体が重要であることを認識させ、また脚体が健全であることがそれ自身で健康の維持にも繋がることを理解させ、また身近に置いて常時意識させるものとして利用できる装飾物を提供する。【解決手段】置き達磨形状を呈する装飾物本体１の胴部３に、脚部４を突出状に配置形成する。脚部４は、胴部３の左右両脇に一対にして配置形成でき、また、膝部から足首を経て足指部までの下脚部全体のものとして、臑部の背面が胴部３の側面と接合された一体状を呈して構成する。また、装飾物本体１はストラップ飾り、置物、置物おもちゃ、身飾品等として利用できるように構成する。【選択図】図１
0003162491.tif 000002
【実用新案登録請求の範囲】
【請求項１】
置き達磨形状を呈する装飾物本体の胴部に、脚部を突出状に配置形成したことを特徴とする装飾物。
【請求項２】
脚部は、胴部の左右両脇に一対にして配置形成して成る請求項１に記載の装飾物。
【請求項３】
脚部は、膝部から足首を経て足指部までの下脚部全体のものとして、臑部の背面が胴部の側面と接合された一体状を呈している請求項１または２に記載の装飾物。
【請求項４】
装飾物本体はストラップ飾り、置物、置物おもちゃ、身飾品として構成してある請求項１乃至３のいずれかに記載の装飾物。
【請求項５】
置き達磨形状を呈する装飾物本体の胴部に、脚部を突出状に配置形成し、脚部は、胴部の左右両脇に一対にして、膝部から足首を経て足指部までの下脚部全体のものとして、臑部の背面が胴部の側面と接合された一体状を呈して構成し、また、装飾物本体はストラップ飾り、置物、置物おもちゃ、身飾品として構成したことを特徴とする装飾物。
【考案の詳細な説明】
【技術分野】
【０００１】
この考案は、例えばストラップ飾り、置物、置物おもちゃ、ペンダント飾りその他の身体用、携帯品・所持物用、飾り物用等として各種の装飾に使用できる装飾物に係り、特に身体の健全な諸活動に関わる脚体の健康の重要性を認識し、またそれを祈願し、いわゆる健脚状態であることに寄与し、利用できるようにした装飾物に関する。
【背景技術】
【０００２】
従来から、人間の身体が健康で、その健全な生活を送る上では身体機能が十全であることが望ましいとされている。ところが、年齢を重ね、高齢化するに伴い身体機能が次第に衰えていくことは止むを得ないとされていても、特に歩くことである歩行が満足に行われるならば、身体機能の低下は少なく、社会生活上もそれほど不自由なく暮らすことができるとされている。
【０００３】
ところで、人間の脚体は身長の大凡１／２を占めていることからも理解できるように、人間という動物が生きる上で最も重要な部分として与えられ、備わっているものである。そして、移動し、また様々な行動をするときに、脚が止まるということは体内循環である基本的な身体の「流れ」が止まることをも意味し、それは諸病の原因にもなると考えられている。
【先行技術文献】
【特許文献】
【０００４】
【特許文献１】特になし
【考案の概要】
【考案が解決しようとする課題】
【０００５】
このように人間の脚体は身体活動には重要なものであるにもかかわらず、近時の風潮では、交通機関の発達、いわゆる文明生活の便利さ等によって、人間自らの身体自身を使っての諸活動が少なくなる傾向にあり、運動不足を招いている。また、動き回ることが少なくなることで自身の脚体を使用しないことは、いわば「達磨」状態となっているとも言い得るのである。
【０００６】
そこでこの考案は叙上のような従来存した諸事情に鑑み案出されたもので、その目的は人間の身体において脚体が重要であることを認識させ、また脚体が健全であることがそれ自身で健康の維持にも繋がることを理解させるよう、身近に置いて常時意識させるものとして利用でき、例えば携帯電話機におけるストラップ飾りとして携帯品・所持物用の飾り物、室内における置物として各種の装飾に使用できる飾り物、またその置物おもちゃとして、更にはペンダント・ブローチその他の身体用の飾り物等、各種の飾り物としておくことで、上記したように人間の脚体の重要性を認識可能とさせる装飾物を提供することにある。
【課題を解決するための手段】
【０００７】
上述した課題を解決するため、この考案にあっては、置き達磨形状を呈する装飾物本体１の胴部３に、脚部４を突出状に配置形成したことを特徴とする。
脚部４は、胴部３の左右両脇に一対にして配置形成でき、また、膝部から足首を経て足指部までの下脚部全体のものとして、臑部の背面が胴部３の側面と接合された一体状を呈して構成することができる。
また、装飾物本体１はストラップ飾り、置物、置物おもちゃ、身飾品等として構成することができる。
【０００８】
以上のように構成されたこの考案に係る装飾物にあって、置き達磨形状の装飾物本体１に脚部４が配置形成されていることで、人間の身体にとっての脚体の重要性を認識させ、それが健康であることの維持を重視させる。
また、脚部４が装飾物本体１に対して一体状に接合された形態は、装飾物本体１が置き達磨形態であることと相俟ち、意匠的な意外性ある印象を与え、脚部４が強調されることでその一層の重要性を印象づける。
ストラップ飾り、置物、置物おもちゃ、身飾品等として構成される装飾物本体１は、それぞれの用途に対応した装飾機能を発揮させる。
【考案の効果】
【０００９】
この考案は以上説明したように構成されているため、一般的に通常では脚体がない置き達磨形態である装飾物本体１において、脚部４が配置形成されていることによって、また、これが身近に置かれることで、人間の身体において脚体が重要であることを認識させ、また脚部が健全であることがそれ自身で健康であることの維持にも繋がることを理解させることができる。そして、身近に置く態様として例えば携帯電話機におけるストラップ飾りとして携帯品・所持物用の飾り物、室内における置物として各種の装飾に使用できる飾り物、またその置物おもちゃとして、更にはペンダント・ブローチその他の身体用の飾り物等、各種の飾り物としておくことで、常時、脚体の重要性を意識させることができる。
【００１０】
すなわちこれは、この考案において、置き達磨形状を呈する装飾物本体１の胴部３に、脚部４を突出状に配置形成した装飾物としたからであり、脚体がない置き達磨形状の装飾物本体１が脚部４を備えたことによって、その意外性を印象づけて客体の重要性を一層強調できる。
【００１１】
また、装飾物本体１はその脚部４と共に、例えば携帯電話機のストラップ飾り、室内装飾用の置物、その置物おもちゃ、更にはペンダント、ブローチ等の身飾品その他として利用でき、身近におくことで身体の脚体の重要な働きを理解し、その健康なることの維持を認識させることができる。
【００１２】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１３】
【図１】この考案を実施するための一形態を示す正面図である。
【図２】同じく背面図である。
【図３】同じく側面図である。
【図４】同じく平面図である。
【図５】同じく底面図である。
【図６】同じく携帯電話機のストラップ飾りとした場合の使用状態の斜視図である。
【図７】同じく置物とした場合の使用状態の斜視図である。
【図８】同じくペンダント飾りとした場合の使用状態の斜視図である。
【考案を実施するための形態】
【００１４】
以下、図面を参照してこの考案を実施するための一形態を説明すると、図において示される符号１は置き達磨形状を呈するやや縦長球体状の装飾物本体であり、図示のように正面から見てそのほぼ半球状の上半部の前面は眉、眼、鼻、口等が表示されて、周辺部に比し窪んでいる顔部２となっており、下半部は底面が湾曲しているほぼ半球状の胴部３となっている。
【００１５】
そして、胴部３の左右両脇には、左右で一対の脚部４が突出状にして配置形成されており、図示例にあっての脚部４は膝部から足首を経て足指部までの下脚部全体のものとされていて、臑部の背面が胴部３の側面と接合された一体状となっている。これはいわば相撲における蹲踞状態を呈しているのであり、股関節も十分に開いた安定した姿勢とすることで、身体が健康であることを意味するようにしている。
【００１６】
また、足裏部分は装飾物本体１が、その底面によって適当な場所に載置されるときの起立形態を阻害しない程度の下方への突出長さとされるような高さ位置に設定されており、装飾物本体１の底面自体でも、あるいはその底面と脚部４の足裏部分の底面との両者でも載置可能なようにしてある。
【００１７】
脚部４には、特に足指部分を分岐形成すると共に、その足指部分の爪部分をも表示して一層の写実性を表現すると同時に、その足指部分に対する指圧による脈絡に対する刺激の有効性を認識させるように考慮することもできる。
【００１８】
装飾物本体１及び脚部４は、例えば合成樹脂材、鋳造物材等の形成素材は任意に選択でき、また大きさ、色彩、模様の有無その他は装飾部位、場所等によってそれらに対応するように適宜に選定される。
【００１９】
また、図示を省略したが、装飾物本体１の下部である胴部３の底面から、脚体全体すなわち上脚である大腿部分から膝部を経た下脚部分までの全体を突出状に形成し、その脚体によって立ち上がっている形態を呈するように構成することもできる。もとより、図示例あるいは図示を省略していても、脚部４の表現形態は適宜に選定でき、全体を含めての外形、デザインは意匠的観点からの印象も検討して決定される。
【００２０】
尚、装飾物本体１における胴部３の前面には、例えば寺院名、治療院名、病院名更には祈願内容等が表示されることもある。
【００２１】
また、図中符号６は、装飾物本体１の例えば上端部に取り付けられた連繋リングであり、吊り下げ装飾形態とするときの吊り下げ紐１０等と連繋される。
【００２２】
次にこれの使用の一例を説明すると、図６に示すように携帯電話機Ｔにおけるストラップ飾りとして利用され、図７に示すように例えば室内装飾用の置物として利用され、図８に示すようにペンダントＰ等の身飾用のアクセサリーとして利用される。もとより、その利用はこれらに限らず、種々の用途に利用でき、その利用態様に応じてその大きさ、形成素材、色彩、模様の有無その他は適宜に選定される。
【００２３】
尚、この立体的な装飾物本体１、脚部４は、これを図案化して例えばＴシャツその他の被服の図柄・模様等として表示使用しても良く、また、祈願用の護摩札その他に表示形成しても良い。
【符号の説明】
【００２４】
Ｔ…携帯電話機                          Ｐ…ペンダント
１…装飾物本体                          ２…顔部
３…胴部                                ４…脚部
５…足指部分                            ６…連繋リング
１０…吊り下げ紐
【図１】
0003162491.tif 000003
【図２】
0003162491.tif 000004
【図３】
0003162491.tif 000005
【図４】
0003162491.tif 000006
【図５】
0003162491.tif 000007
【図６】
0003162491.tif 000008
【図７】
0003162491.tif 000009
【図８】
0003162491.tif 000010